(57)【要約】      （修正有）【課題】流動物の充填状態の検出正確性の向上。【解決手段】軸線方向両側にＰＣシース２，３が挿入される挿入口１０１、１１１を有し、軸線方向全長に亘る内周に形成され、前記ＰＣシース２、３の外周の雄側螺旋波形部２０、３０が適合して螺合される形状の雌側螺旋波形部１Ａと、軸線方向中途部に配置され、少なくとも、前記雌側螺旋波形部１Ａの周壁の最外面を流動する充填材を検出するように設けられた検出センサ４と、を備えた。【選択図】図１
2010163807.tif 000002
【特許請求の範囲】
【請求項１】
軸線方向両側に螺旋波形管が挿入される挿入口を有する螺旋波形管用接続管であって、
軸線方向全長に亘る内周壁に形成され、前記螺旋波形管の外周の雄側螺旋波形部が適合して螺合される形状の雌側螺旋波形部と、
軸線方向中途部に配置され、少なくとも、前記雌側螺旋波形部の周壁の最外面を流動する充填材を検出するように設けられた検出センサと、を備えていることを特徴とする螺旋波形管用接続管。
【請求項２】
前記検出センサは、検出面が前記内周壁の最外面と同面、又は、内周壁の最外面から径方向に突出していることを特徴とする請求項１に記載の螺旋波形管用接続管。
【請求項３】
前記検出センサは、前記内周壁の最外面に沿う形状であることを特徴とする請求項１又は２に記載の螺旋波形管用接続管。
【請求項４】
前記検出センサを境とする軸線方向両側の内周壁に、螺旋波形管の挿入を規制する挿入規制部を備えていることを特徴とする請求項１ないし３いずれかに記載の螺旋波形管用接続管。
【請求項５】
前記螺旋波形管がＰＣシースであり、前記充填材がグラウトであることを特徴とする請求項１ないし４いずれかに記載の螺旋波形管用接続管。
【発明の詳細な説明】
【技術分野】
【０００１】
本発明は、例えば、プレストレスト・コンクリート（ＰＣ）橋等の構造物を構築するためのケーブルの一部を構成するＰＣシース等の螺旋波形管を接続する螺旋波形管用接続管に関する。
【背景技術】
【０００２】
本発明に係る螺旋波形管用接続管に関連する先行技術文献情報として、例えば、次の特許文献１がある。
【先行技術文献】
【特許文献】
【０００３】
【特許文献１】特許第３８６７８５９号公報
【０００４】
特許文献１は、プレストレスト・コンクリート（ＰＣ）橋等の構造物を構築するためのケーブルの一部を構成するＰＣシースを接続する接続管に、該接続管を流動してＰＣシースに充填されるグラウトを検出するセンサを備えたグラウト充填検出器について述べられている。このグラウト充填検出器は、両端部をＰＣシースの端部が螺合する螺旋波形状の連結部とし、該連結部の間の中間部分を略直筒状の管状センサ台とし、該管状センサ台の管壁にセンサを搭載してなるものである。
【０００５】
前記グラウトは、ＰＣシース内に挿通されたＰＣ鋼線材を腐蝕等から保護するものであるため、ＰＣシースとＰＣ鋼線材の間に隙間なく充填することが要求される。すなわち、特許文献１のグラウト充填検出器は、一方のＰＣシースの端部から流入されるグラウトが隙間なく充填されているか否かを、グラウトがグラウト充填検出器を流動するときにセンサで検出することにより、グラウトの充填状況を確認することができる。
【発明の概要】
【発明が解決しようとする課題】
【０００６】
ところで、特許文献１に記載のグラウト充填検出器は、〔００２０〕及び〔図１、図２〕に記載のとおり、中間部分である管状センサ台の径が螺旋波形状の連結部の径よりも小径であり、この小径の管状センサ台でグラウトを検出する。すなわち、一方のＰＣシースから管状センサ台に流入するグラウトは、連結部から絞られるように管状センサ台に流入するため、管状センサ台に対して隙間ない流入状態(充填状態)となりやすい。
【０００７】
しかしながら、グラウトが管状センサ台から他方のＰＣシースに流入するときに、小径から大径への流入となるため、グラウトの粘度、流入圧力、流入速度等の条件によっては、ＰＣシースに全体にグラウトが行渡らず、該ＰＣシースにエア溜りが生じるという問題があった。また、このように他方のＰＣシースにエア溜りが生じていても、管状センサ台において充填状態が隙間なく正常である場合には、センサがグラウトの充填状態は正常であると検出するため、正確な検出が行われない可能性があった。
【０００８】
本発明は、このような問題に対処することを課題とするものである。すなわち、流動物の充填状態の検出正確性の向上が本発明の目的である。
【課題を解決するための手段】
【０００９】
前記目的を達成するため、本発明に係る螺旋波形管用接続管は、次の構成を少なくとも具備する。
【００１０】
本発明に係る螺旋波形管用接続管は、軸線方向両側に螺旋波形管が挿入される挿入口を有する螺旋波形管用接続管であって、軸線方向全長に亘る内周壁に形成され、前記螺旋波形管の外周の雄側螺旋波形部が適合して螺合される形状の雌側螺旋波形部と、軸線方向中途部に配置され、少なくとも、前記雌側螺旋波形部の内周壁の最外面を流動する充填材を検出するように設けられた検出センサと、を備えていることを特徴とする。
【００１１】
また、前記検出センサは、検出面が前記内周壁の最外面と同面、又は、内周壁の最外面から径方向に突出していることを特徴とする。
【００１２】
また、前記検出センサは、前記内周壁の最外面に沿う形状であることを特徴とする。
【００１３】
また、前記検出センサを境とする軸線方向両側の内周壁に、螺旋波形管の挿入を規制する挿入規制部を備えていることを特徴とする。
【００１４】
また、前記螺旋波形管がＰＣシースであり、前記充填材がグラウトであることを特徴とする。
【発明の効果】
【００１５】
本発明によれば、流動物の充填状態の検出正確性が向上した螺旋波形管用接続管を提供できる。
【図面の簡単な説明】
【００１６】
【図１】本発明に係る接続管(螺旋波形管用接続管)の正面図。
【図２】図１の平面図。
【図３】図２の（３）-(３)線断面図。
【図４】図２の（４）-(４)線断面図。
【図５】図２の（５）-(５)線断面図。
【発明を実施するための形態】
【００１７】
以下、本発明に係る螺旋波形管用接続管を実施するための形態を図面に基づいて説明する。本実施形態では、螺旋波形管をＰＣシースとし、充填材をグラウトとして説明する。また、以下、螺旋波形管用接続管は、「接続管」という。図１は接続管の正面図、図２は接続管の平面図、図３は図２の（３）-（３）線拡大断面図である。図４は図２の（４）-（４）線拡大断面図、図５は図２の（５）-（５）線拡大断面図である。
【００１８】
接続管１は、内外の周壁に、軸線方向(以下、「左右方向」という)全長に亘って同径の螺旋とした螺旋波形部が形成された定尺管状体である。以下、内周壁に形成された螺旋波形部を雌側螺旋波形部として該雌側螺旋波形部に符号１Ａを付し、外周壁に形成された螺旋波形部を雄側螺旋波形部として該雄側螺旋波形部に符号１Ｂを付す。
【００１９】
雌側螺旋波形部１Ａの螺旋波形部の形状は、ＰＣシース２、３の外側の螺旋波形部の形状と適合する形状である。以下、ＰＣシース２、３の外側の螺旋波形部を雄側螺旋波形部として該雄側螺旋波形部に符号２Ａ、３Ａを付し、ＰＣシース２、３の内側の螺旋波形部を雌側螺旋波形部として該雌側螺旋波形部に符号２Ｂ、３Ｂを付す。
【００２０】
本実施形態では、雌側螺旋波形部１Ａの左右端側を雌側接続螺合部１０、１１として設定するとともに、雄側螺旋波形部２Ａ、３Ａの左右端側を雄側接続螺合部２０，３０として設定してある。そして、雌側接続螺合部１０、１１に対して雄側接続螺合部２０，３０を螺合挿入することにより、接続部１に対してＰＣシース２、３を接続するようにしている。
【００２１】
雌側接続螺合部１０、１１の終端(図面上、互いに向き合う方向の端部)には、ＰＣシース２、３の雄側接続螺合部２０、３０の螺合挿入を規制するための挿入規制部１００、１１０が形成されている（図３、図４参照）。また、雌側接続螺合部１０、１１の始端(図面上、互いに離反する方向の端部)は、ＰＣシース管２、３の雄側接続螺旋部２０、３０が螺合挿入される挿入口１０１、１１１である（図３、図４参照）。
【００２２】
すなわち、本実施形態の雌側接続螺合部１０は、挿入口１０１から挿入規制部１００の範囲であり、雌側接続螺合部１１は、挿入口１１１から挿入規制部１１０の範囲である。そして、ＰＣシース２、３の雄側接続螺合部２０、３０は、雌側接続螺合部１０、１１の範囲と同長となる範囲で設定されている。
【００２３】
すなわち、本実施形態では、接続部１に形成してある雌側螺旋波形部１Ａの一部を雌側接続螺合部１０、１１として設定し、ＰＣシース２、３に形成してある雄側螺旋波形部２Ａ、３Ａの一部を雄側接続螺旋部２０、３０として設定しているので、接続部１とＰＣシース２、３との接続のための接続構造を、両螺旋波形部と独立して別に設ける必要がない。したがって、ＰＣ橋等の構造物に使用されるケーブル(図示せず)を構成する際に、通常のＰＣシース２、３を使用することができるので、そのコストが大きく増えることがない。
【００２４】
雌側螺旋波形部１Ａの雌側接続螺合部１０、１１間には、接続管１内に流入するグラウトを検出する検出センサ４が設けられている。検出センサ４は、雌側接続螺合部１１寄りに一体状に形成された支持台１２に支持されている。支持台１２は、検出センサ４を嵌合支持する凹部１３が形成されており、該凹部１３に対して検出センサ４の検出面４０が、接続管１内に臨むように支持されている（図３、図５参照）。
【００２５】
検出センサ４には、支持台１２の外部からセンサ用ケーブル４１が配線されている。このセンサ用ケーブル４１は、接続管１から延長され、遠隔場所に設置された制御装置(図示せず)に接続されている。制御装置は、検出センサ４の検出動作を制御するとともに、検出結果を表示部等に送信させたり、表示させたりする制御等を行うものである。
【００２６】
前記検出センサ４は、例えば、検出面４０にグラウトが接触したときの圧力変化や温度変化、あるいは振動等を検出するセンサが使用できる。
【００２７】
本実施形態の検出センサ４は、前記検出面４０が雌側螺旋波形部１Ａの内側ピッチ頂点１４を含む内周壁と同面となるように支持されており、雌側螺旋波形部１Ａの内側ピッチ頂点１４を流動するグラウトの検出を可能にしている。すなわち、この内側ピッチ頂点１４においてグラウトが検出されたときには、接続管１内の全体にグラウトが充填されていることになるため、グラウト検出の確実性が向上する。
【００２８】
本発明では、検出センサ４の検出面４０を雌側螺旋波形部１Ａの内側ピッチ頂点１４を含む内周壁と同面とする形態に限らず、検出面４０が内周壁から突出した形態(図示せず)、あるいは、検出面４０が内周壁よりも外側に凹むように位置した形態(図示せず)としてもよい。ただし、検出面４０が内周壁から突出した形態や外側に凹むように位置した形態の場合、検出面４０と内周壁との位置の差異によって、流動するグラウトに対して流動抵抗を生じさせたり、エア溜りを生じさせたりする可能性が極めてわずかでも残るため、好ましくは、例示するような検出面４０を内周壁に対して同面とした形態である。
【００２９】
検出センサ４は、支持台１２に対して着脱可能とする必要はなく固定でよい。これは、接続管１にＰＣシース２、３を接続し、これら、接続管１及びＰＣシース２、３にＰＣ鋼線材(図示せず)を挿通してなるケーブル(図示せず)をＰＣ橋等の構造物に設置した後に、該ケーブルにグラウトを流入充填する作業を行うからである。
【００３０】
すなわち、接続管１は、ＰＣシース２、３を接続するもの及びグラウトを検出するものである他、ケーブルの一部として使用されるものであって、グラウトの検出の終了後に取外されるものではない。したがって、ケーブル(図示せず)をＰＣ橋等の構造物に設置し、グラウトを充填した際には、構造物に対して固定されるので、検出センサ４を着脱可能とする必要性はない。
【００３１】
好ましくは、検出センサ４をグラウトの流入充填作業時における流動抵抗やＰＣ鋼線材(図示せず)の挿通作業時、更にはケーブルのＰＣ橋等の構造物に対する設置作業時に、ずれたり外れたりしないように、確実に固定することである。すなわち、前記各作業時に検出センサ４がずれたり外れたりした場合、グラウトの検出に不具合が発生する可能性があるが、検出センサ４を支持台１２に対して確実に固定することにより、グラウトの検出を確実に行うことができる。
【００３２】
このグラウトの検出をより確実に行うには、接続管１をＰＣ橋等の構造物に設置する際に、検出センサ４が真上に位置するようにして設置するとよい。すなわち、グラウトが流動する際に最もエア溜りが生じ易いのが、真上に位置する部分であり、該部分のグラウトが検出できれば、接続管１内にグラウトが隙間なく充填されていると判断できる。
【００３３】
更に、本実施形態の接続管１は、その内側に雌側螺旋波形部１Ａが左右全長に亘って同径として形成されているので、ＰＣシース２から接続管１に流入したグラウトが、ＰＣシース２の雌側螺旋波形部２Ｂから連続するように接続管１の雌側螺旋波形部１Ａに案内され、しかも流動に必要な圧力が強弱変わることなくスムースに流動する。そして、接続管１からＰＣシース３に流入するグラウトも同様に、接続管１の雌側螺旋波形部１Ａから連続するようにＰＣシース３の雌側螺旋波形部３Ｂに案内され、ＰＣシース３に充填されながら流動する。したがって、ＰＣシース２から接続管１を経てＰＣシース３に亘るグラウトの隙間ない充填の確実性が向上する。
【００３４】
符号１２０は、検出センサ４を支持する第２の支持台であり、検出センサ４の形状により、該第２の支持台１２０に検出センサ４を取り付けてもよい。
【００３５】
本実施形態の挿入規制部１００、１１０は、雌側接続螺合部１０、１１のピッチと、該雌側接続螺合部１０、１１に連続する雌側螺旋波形部１Ａのピッチとを、左右方向に沿ってずらして突き合せるように連設することにより、ピッチ同士の連設部分に径方向に突出するように形成された段差である(図３、図４参照)。このような形態の挿入規制部１００、１１０により、接続管１に対するＰＣシース２、３の過挿入を防止することができ、この過挿入による検出センサ４の破損や検出センサ４と重なることによる検出の不具合を防止することができる。
【００３６】
本実施形態の接続管１には、検出センサ４の左右方向両側に、第２の挿入規制部１０２、１１２が径方向内側に突設されている。この第２の挿入規制部１０２、１１２により、万が一、前記挿入規制部１００、１１０が破損した際に、ＰＣシース２、３の過挿入を防止することができる。また、この第２の挿入規制部１０２、１１２は、挿通されるＰＣ鋼線材の検出センサ４への接触を防止し、該接触による接触センサ４の破損等を防止することができる。
【００３７】
本発明の挿入規制部１００、１１０は、例示した形態に限られず、ＰＣシース２、３の過挿入を防止できるものであればよく、例えば、第２の挿入規制部１０２、１１２のような突起体でもよい(図示せず)。
【００３８】
本実施形態の接続管１によれば、グラウトの充填状態の検出について高い確実性を備え、しかも、接続管１を経由して流入するグラウトのＰＣシース３への充填についても確実性を向上させることができる。したがって、検出センサ４がグラウト充填を検出したときに、ＰＣシース３にエア溜りが生じているというような不具合の発生を大きく低減することができる。更に、ＰＣシース２、３の過挿入防止及びＰＣ鋼線材の検出センサ４に対する接触防止により、検出センサ４を保護しているので、グラウト流入時においてグラウトの検出ができなくなる不具合の発生を大きく低減できる。
【００３９】
なお、本発明は、例示した実施の形態に限定するものでは無く、特許請求の範囲の各項に記載された内容から逸脱しない範囲の構成による実施が可能である。例示した実施形態では、ＰＣ橋等の構造物に用いられるケーブルの一部を構成する接続管としたものであるが、本発明は、このケーブルの一部を構成する接続管に限られず、内部に流動性の充填材が充填されるような螺旋波形管を接続する接続管を含むものである。
【符号の説明】
【００４０】
１：接続管(螺旋波形管用接続管)
２：ＰＣシース(螺旋波形管)
３：ＰＣシース(螺旋波形管)
４：検出センサ
１Ａ：雌側螺旋波形部
１Ｂ：雄側螺旋波形部
２Ａ：雄側螺旋波形部
３Ａ：雄側螺旋波形部
２Ｂ：雌側螺旋波形部
３Ｂ：雌側螺旋波形部
１０：雌側接続螺合部
１１：雌側接続螺合部
２０：雄側接続螺合部
３０：雄側接続螺合部
４０検出面
１００：挿入規制部
１１０：挿入規制部
１０１：挿入口
１１１：挿入口
１０２：挿入規制部
１１２：挿入規制部
【図１】
2010163807.tif 000003
【図２】
2010163807.tif 000004
【図３】
2010163807.tif 000005
【図４】
2010163807.tif 000006
【図５】
2010163807.tif 000007